(57)【要約】      （修正有）【課題】低コストで、粉粒状の農業用散布剤を広い面積に撒きムラのないように均一に散布できる包装用箱を提供する。【解決手段】粉粒状の農業用散布剤２が袋詰めされた状態で収納される箱体３からなる包装用箱１であって、箱体３には、粉粒状の農業用散布剤２を散布するための開口部が形成されている。例えば開口部は、箱体３の底辺のうちの一長辺３ａに沿って形成された複数のスリット状の開口６からなる。袋詰めされた農業用散布剤２を箱体３から取り出し、袋を開封して、農業用散布剤２を箱体３に移す。この状態で農業用散布剤２を各開口６から散布できるようになるので、箱体３を持ちながら移動することにより、農業用散布剤２を撒きムラのないように均一に散布することができる。【選択図】図４
0003186546.tif 000002
【実用新案登録請求の範囲】
【請求項１】
粉粒状の農業用散布剤が袋詰めされた状態で収納される箱体により構成される包装用箱であって、
前記箱体には、前記粉粒状の農業用散布剤を散布するための開口部が形成されていることを特徴とする包装用箱。
【請求項２】
前記開口部は、前記箱体の底辺に沿って形成された複数のスリット状の開口からなることを特徴とする請求項１に記載の包装用箱。
【請求項３】
前記スリット状の開口は、前記箱体の底辺に沿って切り込みを形成し、この切り込みの両端で上方に向かう切り込みを形成することにより形成されることを特徴とする請求項２に記載の包装用箱。
【請求項４】
前記スリット状の開口は、前記箱体の底辺のうち少なくとも一長辺に沿って形成されていることを特徴とする請求項２又は３に記載の包装用箱。
【請求項５】
前記箱体の内底面に中敷を敷くことを特徴とする請求項１乃至４のいずれか１項に記載の包装用箱。
【考案の詳細な説明】
【技術分野】
【０００１】
本考案は、粉粒状（本願では「粉状又は粒状」との意味とする）の農業用散布剤が入れられた袋を収納して販売に供するのに利用して好適な包装用箱に関する。
【背景技術】
【０００２】
除草剤や肥料等の農業用散布剤として粉粒状のものがある。このような粉粒状の農業用散布剤は、特に数ｋｇといった多量で販売される場合、袋詰めしたものを包装用箱に収納したかたちで販売に供される。
【０００３】
例えば特許文献１には、洗剤、食品、調味料、ペットフード、飼料、肥料をはじめとする種々の内容物を収容する箱として有用な包装用箱が開示されている。
【先行技術文献】
【特許文献】
【０００４】
【特許文献１】特開２０００−１０３４２２号公報
【考案の概要】
【考案が解決しようとする課題】
【０００５】
購入者の利便性を図るために、包装用箱に、散布器を同梱しておくことが考えられる。散布器は、例えば折り畳み式の紙製カップで、底面に穴が形成されたものである。この散布器に農業用散布剤を入れて、底面の穴から散布することにより、撒きムラのないように均一に散布することができる。
しかしながら、数ｋｇといった多量の農業用散布剤の購入者は、広い面積に農業用散布剤を散布したいものと思われる。農業用散布剤と同梱する散布器は、数ｋｇといった多量の農業用散布剤に比べると小さなサイズとせざるを得ず、広い面積に散布するのに向いているとはいえない。
【０００６】
また、包装用箱に、農業用散布剤を手撒きするための手袋を同梱しておくことが考えられる。手撒きであれば、小さな散布器で散布するのに比べて、一度に広い面積に散布することができる。
しかしながら、購入者の手撒きに委ねるのでは、農業用散布剤が均一に散布されないこともあり得る。
【０００７】
しかも、上記のように散布器や手袋を同梱するのでは、コストがかかってしまうという問題もある。
【０００８】
本考案は上記のような点に鑑みてなされたものであり、低コストで、粉粒状の農業用散布剤を広い面積に撒きムラのないように均一に散布できるようにすることを目的とする。
【課題を解決するための手段】
【０００９】
本考案の包装用箱は、粉粒状の農業用散布剤が袋詰めされた状態で収納される箱体により構成される包装用箱であって、前記箱体には、前記粉粒状の農業用散布剤を散布するための開口部が形成されていることを特徴とする。
また、本考案の包装用箱体の他の特徴とするところは、前記開口部は、前記箱体の底辺に沿って形成された複数のスリット状の開口からなる点にある。この場合に、前記スリット状の開口は、前記箱体の底辺に沿って切り込みを形成し、この切り込みの両端で上方に向かう切り込みを形成することにより形成されるようにしてもよい。また、前記スリット状の開口は、前記箱体の底辺のうち少なくとも一長辺に沿って形成されているのが好ましい。
また、本考案の包装用箱体の他の特徴とするところは、前記箱体の内底面に中敷を敷く点にある。
【考案の効果】
【００１０】
本考案によれば、包装用箱を散布器として利用して粉粒状の農業用散布剤を散布することができる。これにより、低コストで、粉粒状の農業用散布剤を広い面積に撒きムラのないように均一に散布することができる。
【図面の簡単な説明】
【００１１】
【図１】実施形態における包装用箱の外観図である。
【図２】実施形態における包装用箱の使い方を説明するための図である。
【図３】開口部の一例を説明するための図である。
【図４】実施形態における包装用箱の使い方を説明するための図である。
【図５】実施形態における包装用箱の使い方を説明するための図である。
【考案を実施するための形態】
【００１２】
以下、添付図面を参照して、本考案の好適な実施形態について説明する。
図１、図２に示すように、粉粒状の農業用散布剤（除草剤や肥料等）２が袋詰めされており、それが包装用箱１に収納されている。
包装用箱１は厚紙製の箱体３からなり、上面が取り出し口となっている。取り出し口を開閉する上面蓋４には、取っ手５が設けられている。なお、箱体３の具体的な構造については限定されるものではないが、ワンピースの厚紙を組み立てることにより箱体３に形成できるようにしたものが好ましい。
【００１３】
また、箱体３には、農業用散布剤２を散布するための開口部が形成されている。本実施形態では、開口部として、箱体３の底辺のうちの一長辺３ａに沿って３つのスリット状の開口６が形成されている。
より詳細には、図３に示すように、箱体３の一長辺３ａに沿って切り込み６ａを形成し、この切り込み６ａの両端で上方に向かう切り込み６ｂ、６ｂを形成することにより、スリット状の開口６が形成されている。このようにした開口６は、切り込み６ａ、６ｂで囲まれた部分６ｃが農業用散布剤を下方に導くガイドとして機能するので、農業用散布剤２が拡散するのを防ぐことができる。
なお、販売時には、農業用散布剤２は袋詰めされた状態で箱体３に収納されているので、開口部が形成されていても農業用散布剤２がこぼれ落ちることはない。
【００１４】
図２に示すように、まず袋詰めされた農業用散布剤２を箱体３から取り出す。次に、図４に示すように、袋を開封して、農業用散布剤２を箱体３に移す。この状態で農業用散布剤２を各開口６から散布できるようになるので、図５に示すように、箱体３を持ちながら移動することにより、農業用散布剤２を撒きムラのないように均一に散布することができる。なお、図５では取っ手５を持って農業用散布剤２を散布している状態を示したが、箱体３を直接抱きかかえるようにして農業用散布剤２を散布してもよい。
【００１５】
以上のように、包装用箱１を散布器として利用して粉粒状の農業用散布剤２を散布することができる。包装用箱１は、その内容物である農業用散布剤２に見合ったサイズであるので、粉粒状の農業用散布剤２を広い面積に撒きムラのないように均一に散布することができる。
また、箱体３に開口部を形成するだけでよく、散布器や手袋を同梱する必要がないので、低コストで済む。
【００１６】
以上、本考案を実施形態と共に説明したが、本考案は実施形態にのみ限定されるものではなく、本考案の範囲内で変更等が可能である。
例えば開口部の形状や大きさ、数等は、農業用散布剤２を散布できるものであれば限定されるものではない。上記実施形態では、一長辺３ａだけに沿って開口６を形成したが、他の辺に沿って開口６を形成してもよい。また、例えば箱体３の底面に多数の小穴を形成するような形態でもよいし、加工コスト等がかかるが、開閉蓋を有するような開口部としてもよい。
ただし、開口部は、箱体３の短手側に配置するよりも、上記実施形態のように長手側に配置した方が、農業用散布剤を一度により広い範囲に散布できるので好ましい。
【００１７】
また、箱体３の底面については図５に簡単に示しただけであるが、ワンピースの厚紙を組み立てることにより箱体３に形成する場合、底面は複数の片を組み合わせて構成される。この場合に、底部の抜けを防ぐために、箱体３の内底面に１枚の厚紙からなる中敷を敷くようにしてもよい。また、複数の片を組み合わせて底面を構成する場合、底面には片の重なりで隙間や凹凸ができてしまう。そのため、粉粒状の農業用散布剤２を箱体３に移すと、内底面の隙間等に入り込んでしまうこともある。この場合も、箱体３の内底面に１枚の厚紙からなる中敷を敷くことにより、粉粒状の農業用散布剤２が隙間等に入り込むのを防いで、各開口６から効率的に散布することができる。
【符号の説明】
【００１８】
１：包装用箱、２：農業用散布材、３：箱体、３ａ：底辺の長辺、６：開口、６ａ、６ｂ：切り込み
【図１】
0003186546.tif 000003
【図２】
0003186546.tif 000004
【図３】
0003186546.tif 000005
【図４】
0003186546.tif 000006
【図５】
0003186546.tif 000007